(57)【要約】【課題】リモコン送信機により、照明器具の動作モードを確認できると共に、その照度を容易に確認出来ることにより、快適な明るさを可能とする。【解決手段】多段階調光照明器具または連続調光照明器具の全光、調光、常夜灯、消灯の各点灯モードを、制御する点灯ゲージつき照明用リモコン送信器において、前記各点灯・消灯モードを、表示するよう正面に設けた液晶表示部１１を備え、この液晶画面に前記各点灯モードを表すモード画像１２を配置すると共に、照度センサ１５からの前記照明器具の明るさを表すレベル画像１３を配置したことを特徴とする。【選択図】　図１
2004111205.tif 000002
【特許請求の範囲】
【請求項１】
多段階調光照明器具または連続調光照明器具の全光、調光、常夜灯、消灯の各点灯モードを、制御する照明用リモコン送信器において、前記各点灯・消灯モードを、表示するよう正面に設けた液晶画面を有し、この液晶画面に前記各点灯モードを表す画像を配置すると共に、前記照明器具の明るさを表す画像を配置したことを特徴とする点灯ゲージつき照明用リモコン送信器。
【請求項２】
照明器具の明るさを表す画像が、複数段階のレベル表示画像を直線的に配置した請求項１記載の点灯ゲージつき照明用リモコン送信器。
【請求項３】
レベル表示画像が、正方形を積み上げた形状または円形を積み上げた形状からなる請求項２記載の点灯ゲージつき照明用リモコン送信器。
【請求項４】
照明器具の明るさを検出する受光センサと、この受光センサの出力レベルをディジタル変換しレベル調整するマイコン制御部と、このマイコン制御部の出力をレベル表示する液晶画面に供給する液晶表示コントローラとを含む請求項１，２または３記載の点灯ゲージつき照明用リモコン送信器。
【請求項５】
受光センサの出力レベルの表示が、レベル可変手段により調整されて、照明器具の明るさレベルを所定複数段階で、全灯点灯レベルから照明器具の交換段階レベルまで表示できるようにした請求項１，２または３記載の点灯ゲージつき照明用リモコン送信器。
【請求項６】
点灯モードの表示に円形の液晶画面を用い、この円形の液晶画面の外側リング部分で、その点灯比率またはモードを表示し、円形の内側の小円部分で消灯モードの常夜灯表示をした請求項１，２，３，４または５記載の点灯ゲージつき照明用リモコン送信器。
【請求項７】
点灯モードが、第１の順送りスイッチにより、順次、全灯、昼光色、電球色と切替られ、また　消灯モードが、第２の順送りスイッチにより、常夜灯、消灯の切替られるモードで動作する請求項１，２または３記載の点灯ゲージつき照明用リモコン送信器。
【発明の詳細な説明】
【０００１】
【発明の属する技術分野】
本発明は、点灯ゲージつき照明用リモコン送信器に関し、特に照明器具の明るさレベルを表示できるようにした点灯ゲージつき照明用リモコン送信器に関する。
【０００２】
【従来の技術】
従来の蛍光灯照明器具用リモコン送信機は、ＬＥＤ３個を搭載し、ボタン操作により、全光−調光−保安球−消灯、の順に切り替える順送り操作が基本であった。さらに、従来の照明器具用液晶リモコン送信機においては、タイマー機能を具備しており、点灯モードの順送り操作、または、直接、リモコン送信機の点灯モード切替ボタンを操作することにより、照明器具の点灯モードを切り替えていた。
【０００３】
このように、従来の蛍光灯照明器具では、照明器具の点灯モードの切り替えはリモコン送信機によって行なうにもかかわらず、照明器具の現在の点灯モードが、全光、調光、保安球のうち、いずれの動作状態にあるのかを、リモコン送信機で知ることはできなかった。
【０００４】
また、照明器具用蛍光ランプは、細管化により従来の蛍光ランプより長寿命化が実現され、従来の天井直付照明器具（シーリング）では、ランプ部分を覆う形で器具に設置されているセードのため、ランプがセードの中にあって、その点灯状態を確認することができず、ランプ寿命末期までランプを使用する傾向があった。そのため、ユーザーが適切な照度を確認することができなくなり、その結果、６０％減光した状態で照明器具を使用することになり、快適な生活を維持することができなくなった。
【０００５】
さらに、ランプ寿命を越えて使用することになるため、ランプ切れになったり、照明器具のインバータ保護回路機能によっては、使用中に減光モードに切り替わったり、消灯モードに切り替わったりすることが発生し、快適な生活に支障を来すことになった。
【０００６】
例えば、連続調光照明器具のリモコン送信機として、照明部の点灯後も周囲の照度を検出して、照度に応じた調光制御を行うことができる照明制御装置がある（例えば、特許文献１参照。）。
【０００７】
この照明制御装置は、図４のブロック図のようになっている。すなわち、照明器具３０は、周囲照度を検出する第１の照度センサ部３１と、第１の照度センサ部３１の様々な制御を行う照度センサ制御部３２と、外部より赤外線光などの光信号からなるワイヤレス信号にて送信された制御信号を受信する信号受信部３３と、この照明器具３０の様々な設定を行うための設定操作部３４と、照明器具３０に関する様々な設定情報を記憶する不揮発性のメモリ部３５と、照明負荷を点灯又は消灯させる照明負荷部３６と、各部の動作を制御する器具制御部３７と、各部に動作電源を供給する電源部３８とから構成される。
【０００８】
この装置のリモコン送信器２０は、人の存否を検出する人体センサ部２１と、赤外線光などの光信号からなるワイヤレス信号にて照明器具３０へ制御信号を送信する信号送信部２３と、照明器具３０を点灯又は消灯させるための切替操作を行ったり、様々な設定を行うためのリモコン操作部２４と、各部の動作を制御するリモコン制御部２５と、各部に動作電源を供給する電源部２６とから構成される。
【０００９】
このリモコン送信器２０の人体センサ部２１が人を検知して人体検知信号を発生したり、リモコン操作部２４が操作に応じて操作信号を発生すると、リモコン制御部２５は、人体センサ部２１の人体検知信号やリモコン操作部２４の操作信号に基づいて、信号送信部２３から外部へワイヤレス信号にて制御信号を送信させ、照明器具３０の信号受信部３３が信号送信部２３から送信された制御信号を受信する。また、第１の照度センサ部３１は周囲の照度を検出しており、器具制御部３７は信号受信部３３の受信した制御信号及び第１の照度センサ部３１の検出した照度に基づいて調光信号を発生し、照明負荷部３６が器具制御部３７の調光信号に基づいて照明負荷を調光点灯する。
【００１０】
この時、照明負荷部３６が照明負荷を点灯させた後も、第１の照度センサ部３１は周囲の照度を検出しており、器具制御部３７は照度センサ部３１の検出した照度に応じた調光信号を発生し、照明負荷部３６が器具制御部３７の調光信号に基づいて照明負荷を調光点灯し、周囲の照度を予め設定された照度に制御している。
【００１１】
この照明制御装置において、さらに、照明器具３０の第１の照度センサ部３１が、照明器具３０のセードやグローブからなるカバーに覆われる部位に配設されている。また。リモコン送信器２０には、リモコン送信器２０の周辺の照度を検出する透過率測定手段たる第２の照度センサ部２２を設けている。そして、第１の照度センサ部３１の信号出力と、第２の照度センサ部２２の信号出力とからカバーの透過率を測定し、カバーの透過率が低い場合には、感度補正手段たる照度センサ制御部３２が第１の照度センサ部３１の感度を高く、カバーの透過率が高い場合には、照度センサ制御部３２が第１の照度センサ部３１の感度を低くしている。
【００１２】
一方、スタンダードタイプの照明器具は、全光、調光、保安球、消灯、それぞれの段階を目視で容易に確認できたが、多段階調光照明器具および連続調光照明器具は、セード越しに必要な明るさを選択、確認することは容易ではなかった。このセレクト機能付照明器具では、明るさよりランプ色の選択であり、見分けることはできるが、点灯状態をリモコン送信機で確認することはできなかった。例えば、光源の光出力を制御する照明装置として、以下に説明するものがある（例えば、特許文献２参照。）。
【００１３】
この照明装置は、図５のブロック図に示すように、光源と光源を点灯させる点灯手段とを有する照明器具４０と、被照射面の照度を検出する明るさ検出手段４１と、明るさ検出手段４１の検出値を受けて光源の光出力を制御する制御部４２と、被照射面の照度を所定値に設定する第１のモード、及び明るさ検出手段４１の検出値を受けて光源の光出力を制御する第２のモードとを切り替えるモード切替手段４３とを設け、第２のモード時に、記憶された検出値を維持する様に光源の光出力を制御している。ここで、制御部４２は、光源の光出力を制御する為の目標値や光出力の範囲などの様な制御に必要な設定を記憶する記憶手段を有し、また、設定手段４３は、制御部４２の制御モード切替手段と、照明器具４０の光出力を調整する光出力調整手段とを有している。
【００１４】
この動作は、通常は、被照射面の照度が所定の値になる様に、明るさ検出手段４１の検出値を基に器具４０の光出力を制御し、つまり、予め設定された検出値を明るさ検出手段４１が得られる様に明るさ検出手段４１によるフィードバック制御（センサモード）されている。被照射面の照度を設定あるいは変更する際には、設定手段４３のモード切替手段によって、センサモードから調整モードに切り替える調整モード切替信号を送出する。例えば、リモートコーントロール装置（リモコン）から送出された調整モード切替信号が、天井面などに設けられたリモコン受信器にて受信されると、センサモードから調整モードに切り替わる。調整モードになると、明るさ検出手段４１の検出値に関係なく、設定手段４３の光出力調整手段による光出力ＵＰ信号により器具４０の光出力をＵＰし、光出力ＤＯＷＮ信号により器具４０の光出力をＤＯＷＮして、被照射面照度を所望の値に調整する。調整が終了すると、センサーモード復帰信号をリモコン受信器に送信し、センサモードへ復帰させる。センサモードへ復帰する際に、被照射面照度の調整が終了した状態での明るさ検出手段４１の検出値を制御部４２の記憶手段に記憶し、以後は、制御部４２の記憶手段に記憶された明るさ検出手段４１の検出値になる様に器具４０の光出力を制御する。
【００１５】
この照明装置は、現在の動作モードや点灯状態（例えば光出力範囲が上限値になっている等）を表示する手段を設けたることが出来、その表示手段としては、例えばＬＥＤの色やＬＥＤの点滅、点灯、消灯パターンなどにより判別するものがあり、その一例が図に示されている。その点灯状態は、点灯、点滅、消灯で示され、また、例えばＬＥＤ１は赤色でモード表示を行い、ＬＥＤ２は緑色で点灯状態表示を行っている。ただし、この表示手段がどこにあるか説明していない。
【００１６】
【特許文献１】
特開平１１―０４０３７４号公報
【特許文献２】
特開平１０―２７０１７８号公報
【００１７】
【発明が解決しようとする課題】
しかし、上述した従来の蛍光灯照明器具では、照明器具の点灯モードの切り替えはリモコン送信機によって行なうにもかかわらず、照明器具の現在の点灯モードが、全光、調光、保安球のうち、いずれの動作状態にあるのかを、リモコン送信機で知ることはできなかった。
【００１８】
また、照明器具用蛍光ランプは、細管化により従来の蛍光ランプより長寿命化が実現され、従来の天井直付照明器具（シーリング）では、ランプ部分を覆う形で器具に設置されているセードのため、ランプがセードの中にあって、その点灯状態を確認することができず、ランプ寿命末期までランプを使用する傾向があった。そのため、ユーザーが適切な照度を確認することができなくなり、その結果、初期照度の約６０％の明るさに減光した状態で照明器具を使用することになり、快適な生活を維持することができなくなった。
【００１９】
さらに、ランプ寿命を越えて使用することになるため、ランプ切れになったり、照明器具のインバータ保護回路機能によっては、使用中に減光モードに切り替わったり、消灯モードに切り替わったりすることが発生し、快適な生活に支障を来すことになった。
【００２０】
本発明の目的は、ランプがセードの中にあっても、その動作モードを確認できると共に、その照度を容易に確認出来ることにより、快適な生活を可能にした点灯ゲージつき照明用リモコン送信器を提供することにある。
【００２１】
【課題を解決するための手段】
本発明の構成は、多段階調光照明器具または連続調光照明器具の全光、調光、常夜灯、消灯の各点灯モードを、制御する照明用リモコン送信器において、前記各点灯・消灯モードを、表示するよう正面に設けた液晶画面を有し、この液晶画面に前記各点灯モードを表す画像を配置すると共に、前記照明器具の明るさを表す画像を配置したことを特徴とする。
【００２２】
本発明において、照明器具の明るさを表す画像が、複数段階のレベル表示画像を直線的に配置することができ、また、レベル表示画像が、正方形を積み上げた形状または円形を積み上げた形状からなることができ、さらに、照明器具の明るさを検出する受光センサと、この受光センサの出力レベルをディジタル変換しレベル調整するマイコン制御部と、このマイコン制御部の出力をレベル表示する液晶画面に供給する液晶表示コントローラとを含むことができる。
【００２３】
また、本発明において、受光センサの出力レベルの表示が、レベル可変手段により調整されて、照明器具の明るさレベルを所定複数段階で、全灯点灯レベルから照明器具の交換段階レベルまで表示できるようにでき、また、点灯モードの表示に円形の液晶画面を用い、この円形の液晶画面の外側リング部分で、その点灯比率またはモードを表示し、円形の内側の小円部分で消灯モードの常夜灯表示をし、さらに、点灯モードが、第１の順送りスイッチにより、順次、全灯、昼光色、
電球色と切替られ、また　消灯モードが、第２の順送りスイッチにより、常夜灯、消灯の切替られるモードで動作することができる。
【００２４】
【発明の実施の形態】
次に図面により本発明の実施形態を説明する。図１（ａ）（ｂ）は本発明の一実施形態の照明用リモコン送信器の正面図および側面図、図２はその機能を説明するブロック図である。この図１に示すように、本実施形態のリモコン送信器１０は、このリモコン送信器本体１０ａの正面に、円形にして上部表示部と下部操作部とを一体に配置したものである。円形上部に配置した矩形の液晶表示部１１は、その中央に円形に画像を形成したモード表示部１２を設け、円形上部に配置した半円形の左に消灯スイッチＳ１のボタン１６を配置し、この半円形の右に順送りスイッチＳ２のボタン１７を配置し、さらに、モード表示部１２の左側に照明器具の照度計となるレベル表示部１３を配置している。このレベル表示部１３は、液晶表示部１１の上部に設けられた受光センサ１５により、照明器具の明るさを検出して表示したものである。
【００２５】
なお、このリモコン送信器１０の赤外線送信部１４は、その上端に配置され、リモコン送信器１０の裏面には、このリモコン送信器１０を平坦にテーブルなどの上に置くよう台１８が設けられている。
【００２６】
このリモコン送信器１０は、図２のように、常夜灯、消灯を切替える消灯スイッチ１６（Ｓ１）と点灯モードを切替える順送りスイッチ１７（Ｓ２）からの接点信号を記憶し、どのモードにあるかを区別しモード制御を行い、かつ受光（照度）センサ１５からの出力レベルをディジタル変換しレベル調整する制御用マイコン１ａと、この制御用マイコン１ａからの表示信号を液晶表示できるように駆動する液晶表示コントローラ２ａと、この液晶表示コンドローラ２ａの出力によりモード画像およびレベル画像を表示する液晶表示部１１のレベル表示部７とから構成される。また、制御用マイコン１ａのレベル制御は、可変抵抗器などのレベル設定手段６により、任意にそのレベルが調整可能である。
【００２７】
図３（ａ）（ｂ）は、図２の液晶表示部３のレベル表示部１３の液晶画像を説明する表示図である。図３（ａ）は、矩形の液晶表示部３に設けた、正方形を積み上げた正方形表示１３ａの形状のレベル表示部１３を示し、７段階に分割した明るさのレベルで表示している。また、その表示は、図３（ｂ）のように、または円形を積み上げ円形表示１３ｂの形状のレベル表示部１３で、その７段階に分割した明るさのレベルを表示せることもできる。
【００２８】
なお、液晶表示部３のモード表示部１２は、矩形の液晶表示部３に設けた、円形のモード表示部１２として、連続調光照明器具の点灯比率を、四分割したリング状のグラフィック画面を示している。すなわち、順送りスイッチＳ２により、順次照明器具の全部点灯を「全灯」、「７０％」、「５０％」および「３０％」と切替えている。また、消灯モードでは、消灯スイッチＳ１により、照明器具の常夜灯（保安灯）の点灯を「常夜灯」、「消灯」と切替られる。また、円形のモード表示部１２では、「全灯」、「昼光色」、「電球色」の各モードを示すこともできる。このグラフィック画面の点滅状態により、照明器具の点灯モードを容易に確認することができる。
【００２９】
この液晶リモコン送信機の表示部に、照明器具のランプ形状のシルク印刷を施し、そのランプ内に７段階の直線レベル表示で構成されており、その初期値では、７段階すべてが表示される。点灯使用後、時間の経過とともにランプ形状の７段階表示が、６段階→５段階→４段階と下がってくることにより、明るさが低下していることを確認することができる。なお、寿命末期によるランプ交換の明るさの目安としては、２段階〜３段階点灯としている。
【００３０】
本実施形態では、リモコン送信機に受光センサ１５を搭載しているので、照明器具から一定の距離離れた位置で測定することが可能となり、また、その初期設定は、リモコン送信機に補助用調整ボリュームを搭載し調整することにより、設定が可能となる。
【００３１】
本実施形態では、ランプの明るさが徐々に減少していく特性を利用し、Ｃｄｓ等からなる受光センサ１５を採用した回路を液晶リモコン送信器に搭載することにより、ランプ交換の時期が容易に判定できる。
【００３２】
【発明の効果】
以上説明したように、本発明によれば、リモコン送信機に、照明器具の点灯モードにしたがって、点灯するグラフィック画面が決まっているため、照明器具の点灯モードを容易に確認できると共に、ランプの明るさの減少度を、簡単に表示できるので、点灯モードを確認しながら、その照度も容易に確認出来、ランプ交換の時期が容易に判定でき快適な明るさを維持できるという効果がある。
【図面の簡単な説明】
【図１】（ａ）（ｂ）は本発明の第１の実施形態を説明するリモコン送信器の正面図および側面図。
【図２】図１のリモコン送信器を説明するブロック図。
【図３】（ａ）（ｂ）は図１のレベル表示部の表示例として、第１および第２のレベル表示を説明する表示図。
【図４】従来例のリモコン送信器と照明装置のブロック図。
【図５】（ａ）（ｂ）は従来例の他のリモコン送信器と照明装置のブロック図。
【符号の説明】
１，１ａ　　制御用マイコン
２，２ａ　　液晶表示コントローラ
３，１２　　モード表示部
５　　受光センサ
６　　レベル設定手段
７，１３　　レベル表示部
１０，２０　　リモコン送信器
１０ａ　　本体
１１　　液晶表示部
１３ａ　　正方形表示
１３ｂ　　円形表示
１４，２３　　送信部
１５，３３　　受光センサ
１６　　消灯ボタン（スイッチＳ１）
１６ａ　　常夜灯表示
１６ｂ　　消灯表示
１７　　順送りボタン（スイッチＳ２）
１８　　台
２２，３１　　照度センサ部
２４　　リモコン操作部
２５　　リモコン制御部
３０，４０　　照明装置
３２　　照度制御部
３４　　設定操作部
４１　　明るさ検出手段
４２　　制御部
４３　　設定手段
【図１】
2004111205.tif 000003
【図２】
2004111205.tif 000004
【図３】
2004111205.tif 000005
【図４】
2004111205.tif 000006
【図５】
2004111205.tif 000007